(57)【要約】      （修正有）【課題】カーテンレールからカーテンランナーを簡単に取り外しできるように工夫したカーテンレールを提供する。【解決手段】カーテンレール１の溝３の両端に溝３の幅よりも大きい開口部４を設け、カーテンをフックでつるし、カーテンを動かすと滑って動くカーテンランナー２を開口部４より自由に出し入れできるようにする。カーテンをつるした際、カーテンレール１の両端に位置する場所のカーテンのフックを、カーテンランナー２のサイズを大きくして、その幅よりも大きい開口部４にぴたりとはまり固定される、直径の異なる円柱を組み合わせた形状の分割フック１０を設ける。分割フック１０は、はめ合い部品１とはめ合い部品２を組み合わせ、固定リングをはめ込み完成する。これにより、カーテンランナー２が自由に出し入れできないようにした。【選択図】図７
0003198845.tif 000002
【実用新案登録請求の範囲】
【請求項１】
カーテンレール（１）の溝（３）の両端に溝（３）の幅よりも大きい開口部（４）を設け、カーテンランナー（２）を開口部（４）より自由に出し入れできるようにし、図１の分割フック（１０）はめ合い部品１（５）と図２のはめ合い部品２（６）組み合わせ、図２の固定リング（７）をはめ込み完成する分割フック（１０）を開口部（４）に取り付けることにより、カーテンランナー（２）が自由に出し入れできないようにする様にしたことを特徴とするカーテンレール。
【請求項２】
（請求項１）の分割フック（１０）はめ合い部品１（５）と図２のはめ合い部品２（６）の上端部を斜めに加工し、図３の分割フック（１０）はめ合い部品３（８）と図４のはめ合い部品４（９）のようにすることにより、分割フック（１０）を開口部（４）に取り付ける際の取り付け作業をやりやすくした、分割フック（１０）を開口部（４）に取り付けることにより、カーテンランナー（２）が自由に出し入れできないようにする様にしたことを特徴とするカーテンレール。
【考案の詳細な説明】
【技術分野】
【０００１】主として日用雑貨や住宅設備に関する商品を販売している、ホームセンターや家具店、コンビニエンスストア等で売られている金属製、木製、プラスチック製のカーテンレールおよびカーテンのフックを引っかけるカーテンランナーに関する。
【背景技術】
【０００２】カーテンをカーテンレールにつるす際、カーテンランナーの穴にカーテンのフックをとおしていたが、滑りが悪く引っかかった際に強く引っ張るとカーテンランナーの穴が切れたり、割れたりして壊れたりして使用不能となり、カーテンランナーの数が不足してしまうという不便な点があった。また、カーテンを新調した場合もフックの数が増えた場合、カーテンランナーが足りなくなる場合もあった。
【考案の開示】
【考案が解決しようとする課題】
【０００３】本校案によれば、簡単にカーテンランナー（２）を増やしたり、交換したり出来るようになる。つまり、カーテンレール（１）自体を窓枠や壁から取り外して、カーテンレール（１）の両端のカバーを外すという面倒な作業を行わなくても、分割フック（１０）をカーテンレール（１）端部より外すことにより、簡単にカーテンランナー（２）をカーテンレール（１）に入れたり、出したり、交換したり、追加したりできる。
【課題を解決するための手段】
【０００４】カーテンレール（１）の溝（３）の両端に溝（３）の幅よりも大きい開口部（４）を設け、カーテンランナー（２）を開口部（４）より自由に出し入れできるようにする。そのままではカーテンを取り付けて動かすと、簡単にカーテンランナー（２）ごとカーテンが外れてしまうが、（図１）の分割フック（１０）はめ合い部品１（５）と（図２）のはめ合い部品２（６）組み合わせ、（図２）の固定リング（７）をはめ込み完成する分割フック（１０）を開口部（４）に取り付けることにより、カーテンランナー（２）が自由に出し入れできないようにする様にした。また、本考案では、カーテンレール（１）の形状は（図３）の丸形、（図４）の角形いずれにおいても問題なく実現可能である。この分割フック（１０）にはカーテンのフックをかけることができる穴が設けてあるためフックをこの穴に通せばカーテンを固定することができる。
【考案を実施するための最良の形態】
【０００５】（請求項２）によれば、（請求項１）の分割フック（１０）はめ合い部品１（５）とはめ合い部品２（６）の上端部を斜めにした加工した（図５）のはめ合い部品３（８）と（図６）のはめ合い部品４（９）を合体させ、固定リング（７）をはめ込み完成する分割フック（１０）となり、開口部（４）に取り付ける際の取り付け作業が（請求項１）の場合よりやりやすくなる。
【実施例】
【０００６】（図１）および（図２）が本考案の（請求項１）の分割フック（１０）実施例で、（図５）と（図６）が本考案の（請求項２）の分割フック（１０）実施例、（図３）と（図４）が本考案の（請求項１）および（請求項２）のカーテンレールの実施例である。（図７）は本考案の概念図である。
【考案の効果】
【０００７】本校案によれば、カーテンレール（１）を外して、カーテンランナー（２）を追加したり、交換したりという面倒な作業をすることなく、分割フック（１０）を分解して開口部（４）より外すことにより、カーテンランナー（２）の追加や交換を行うことが出来る。
【図面の簡単な説明】
【図１】（請求項１）の分割フックはめ合い部品１詳細図
【図２】（請求項１）の分割フックはめ合い部品２および固定リング詳細図
【図３】丸形カーテンレール詳細図
【図４】角形カーテンレール詳細図
【図５】（請求項２）の分割フックはめ合い部品３詳細図
【図６】（請求項２）の分割フックはめ合い部品４および組み合わせたフックと固定リング詳細図
【図７】本考案の概念図
【符号の説明】カーテンレール・・・（１）  カーテンランナー・・・（２）  溝・・・（３）
開口部・・・（４）  はめ合い部品１・・・（５）  はめ合い部品２・・・（６）
固定リング・・・（７）  はめ合い部品３・・・（８）  はめ合い部品４・・・（９）
分割フック・・・（１０）
【図１】
0003198845.tif 000003
【図２】
0003198845.tif 000004
【図３】
0003198845.tif 000005
【図４】
0003198845.tif 000006
【図５】
0003198845.tif 000007
【図６】
0003198845.tif 000008
【図７】
0003198845.tif 000009
【手続補正書】
【提出日】平成26年12月26日(2014.12.26)
【手続補正１】
【補正対象書類名】実用新案登録請求の範囲
【補正対象項目名】全文
【補正方法】変更
【補正の内容】
【実用新案登録請求の範囲】
【請求項１】
カーテンレール（１）の溝（３）の両端に溝（３）の幅よりも大きい開口部（４）を設け、カーテンをフックでつるし、カーテンを動かすと滑って動くカーテンランナー（２）を開口部（４）より自由に出し入れできるようにし、カーテンをつるした際、カーテンレール（１）の両端に位置する場所のカーテンのフックを、図１のカーテンランナー（２）のサイズを大きくして幅よりも大きい開口部（４）にぴたりとはまり固定される、直径の異なる円柱を組み合わせた形状の分割フック（１０）を組み立てるための３つの部品、直径の異なる円柱を組み合わせた形状の上部のみが縦に半分に切り取られ、組み合わせた際にずれないように、直方体状の突起を設けたはめ合い部品１（５）と、図２のはめ合い部品１（５）と組み合わせた際に、直径の異なる円柱を組み合わせた形状が完成し、ずれないように、はめ合い部品１（５）に設けた直方体状の突起と適合する、直方体状の溝を設けた、はめ合い部品２（６）を組み合わせ、図２のはめ合い部品１（５）とはめ合い部品２（６）を組み合わせて完成する直径の異なる円柱を組み合わせた形状の胴体部分に適合する内径を持つ、パイプ状の固定リング（７）をはめ込み完成する分割フック（１０）を開口部（４）に取り付けることにより、カーテンランナー（２）が自由に出し入れできないようにする様にしたことを特徴とするカーテンレール。
【請求項２】
請求項１で記載した分割フック（１０）のはめ合い部品１（５）と図２のはめ合い部品２（６）の上端部の直径にあたる部分を斜めに加工し、傾斜がついた形状の分割フック（１０）とするため、上端部の直径にあたる部分を斜めに加工した、図５のはめ合い部品３（８）と図６のはめ合い部品４（９）として、分割フック（１０）を開口部（４）に取り付ける際の取り付け作業をやりやすくした、分割フック（１０）を開口部（４）に取り付けることにより、カーテンランナー（２）が自由に出し入れできない様にしたことを特徴とする請求項１に記載のカーテンレール。
【手続補正書】
【提出日】平成27年2月24日(2015.2.24)
【手続補正１】
【補正対象書類名】実用新案登録請求の範囲
【補正対象項目名】全文
【補正方法】変更
【補正の内容】
【実用新案登録請求の範囲】
【請求項１】
カーテンレール（１）の溝（３）の両端に溝（３）の幅よりも大きい開口部（４）を設け、カーテンをフックでつるし、カーテンを動かすと滑って動くカーテンランナー（２）を開口部（４）より自由に出し入れできるようにし、カーテンをつるした際、カーテンレール（１）の両端に位置する場所のカーテンのフックを、カーテンランナー（２）のサイズを大きくして幅よりも大きい開口部（４）にぴたりとはまり固定される、直径の異なる円柱を組み合わせた形状の分割フック（１０）を組み立てるための３つの部品、直径の異なる円柱を組み合わせた形状の上部のみが縦に半分に切り取られ、組み合わせた際にずれないように、直方体状の突起を設けたはめ合い部品２（６）と、はめ合い部品１（５）と組み合わせた際に、直径の異なる円柱を組み合わせた形状が完成し、ずれないように、はめ合い部品１（５）に設けた直方体状の突起と適合する、直方体状の溝を設けた、はめ合い部品２（６）を組み合わせ、はめ合い部品１（５）とはめ合い部品２（６）を組み合わせて完成する直径の異なる円柱を組み合わせた形状の胴体部分に適合する内径を持つ、パイプ状の固定リング（７）をはめ込み完成する分割フック（１０）を開口部（４）に取り付けることにより、カーテンランナー（２）が自由に出し入れできないようにする様にしたことを特徴とするカーテンレール。
【請求項２】
請求項１で記載した分割フック（１０）のはめ合い部品１（５）とはめ合い部品２（６）の上端部の直径にあたる部分を斜めに加工し、傾斜がついた形状の分割フック（１０）とするため、上端部の直径にあたる部分を斜めに加工した、はめ合い部品３（８）とはめ合い部品４（９）として、分割フック（１０）を開口部（４）に取り付ける際の取り付け作業をやりやすくした、分割フック（１０）を開口部（４）に取り付けることにより、カーテンランナー（２）が自由に出し入れできない様にしたことを特徴とする請求項１に記載のカーテンレール。
【手続補正書】
【提出日】平成27年5月11日(2015.5.11)
【手続補正１】
【補正対象書類名】実用新案登録請求の範囲
【補正対象項目名】全文
【補正方法】変更
【補正の内容】
【実用新案登録請求の範囲】
【請求項１】
カーテンレール（１）の溝（３）の両端に溝（３）の幅よりも大きい開口部（４）を設け、カーテンをフックでつるし、カーテンを動かすと滑って動くカーテンランナー（２）を開口部（４）より自由に出し入れできるようにし、カーテンをつるした際、カーテンレール（１）の両端に位置する場所のカーテンのフックを、カーテンランナー（２）のサイズを大きくして幅よりも大きい開口部（４）にぴたりとはまり固定される、直径の異なる円柱を組み合わせた形状の分割フック（１０）を組み立てるための３つの部品、直径の異なる円柱を組み合わせた形状の上部のみが縦に半分に切り取られ、組み合わせた際にずれないように、直方体状の突起を設けたはめ合い部品１（５）と、はめ合い部品２（６）と組み合わせた際に、直径の異なる円柱を組み合わせた形状が完成し、ずれないように、はめ合い部品１（５）に設けた直方体状の突起と適合する、直方体状の溝を設けた、はめ合い部品２（６）を組み合わせ、はめ合い部品１（５）とはめ合い部品２（６）を組み合わせて完成する直径の異なる円柱を組み合わせた形状の胴体部分に適合する内径を持つ、パイプ状の固定リング（７）をはめ込み完成する分割フック（１０）を開口部（４）に取り付けることにより、カーテンランナー（２）が自由に出し入れできないようにする様にしたことを特徴とするカーテンレール。
【請求項２】
請求項１で記載した分割フック（１０）のはめ合い部品１（５）とはめ合い部品２（６）の上端部の直径にあたる部分を斜めに加工し、傾斜がついた形状の分割フック（１０）とするため、上端部の直径にあたる部分を斜めに加工した、はめ合い部品３（８）とはめ合い部品４（９）として、分割フック（１０）を開口部（４）に取り付ける際の取り付け作業をやりやすくした、分割フック（１０）を開口部（４）に取り付けることにより、カーテンランナー（２）が自由に出し入れできない様にしたことを特徴とする請求項１に記載のカーテンレール。